(57)【要約】【課題】  折りたたみ式の機器に限ることなく、人が集中する場所などにおけるカメラ撮影による盗撮を有効に防止することができるようにすることを目的とする。【解決手段】  制御部は、カメラの起動してファインダ表示を開始すると、カメラからカメラフレームレートを読み出して格納し、現状のカメラフレームレートを認識する。そして、シャッタの押下を認識すると、カメラフラッシュ設定がなされていなければ、カメラフラッシュ設定なし時のパラメータ値テーブルを用いて、現在のカメラフレームレートに従ってシャッタ音量パラメータ値を設定する。シャッタ音量パラメータ値を設定すると、設定したシャッタ音量パラメータ値に応じた音量で、シャッタ音を鳴動し、画像取り込み処理を行う。このシャッタ音は、周囲の照度が低い暗い場所であったときには、明るい場所であるときと比較して大きな音量で出力される。【選択図】  図４
2005217884.tif 000002
【特許請求の範囲】
【請求項１】
被写体を撮像するカメラを有するカメラ付き携帯電話機であって、
前記カメラによって生成される撮像対象となっているフレーム画像を示すフレーム画像データの生成割合を示すフレームレートを認識するフレームレート認識手段と、
前記フレームレート認識手段の認識結果に応じて、被写体を撮像するときに出力されるシャッタ音の音量を決定するシャッタ音量決定手段と、
被写体の撮像指示があったときに、前記シャッタ音量決定手段によって決定された音量でシャッタ音を出力するシャッタ音出力手段と、を備え、
前記シャッタ音量決定手段は、
前記フレームレート認識手段によって認識されたフレームレートがあらかじめ定められた所定値以下でないときは、シャッタ音の音量を第１の音量とすることに決定し、
前記フレームレート認識手段によって認識されたフレームレートが前記所定値以下であったときには、シャッタ音の音量を前記第１の音量よりも大きい第２の音量とすることに決定する
ことを特徴とするカメラ付き携帯電話機。
【請求項２】
撮像時に被写体に光を照射する発光手段を備え、
シャッタ音量決定手段は、前記発光手段を用いて被写体が撮像されるときは、フレームレート認識手段の認識結果にかかわらず、シャッタ音の音量を第１の音量とすることに決定する
請求項１記載のカメラ付き携帯電話機。
【請求項３】
フレームレートの値を区分けした複数段階の明暗レベルそれぞれにシャッタ音量が対応付けされた音量決定用テーブルが格納された音量決定用テーブル格納手段を備え、
シャッタ音量決定手段は、前記音量決定用テーブルを用いて、フレームレート認識手段によって認識されたフレームレートが含まれる明暗レベルに応じたシャッタ音量を、シャッタ音の音量とすることに決定する
請求項１または請求項２記載のカメラ付き携帯電話機。
【請求項４】
音量決定用テーブルにおける明暗レベルには、明暗レベル内の各フレームレートの値が低くなるに従って段階的に大きい音量となるシャッタ音量が対応付けされており、
前記音量決定用テーブルには、少なくとも、明暗レベル内の各フレームレートの値が最も高い第１明暗レベルと第１の音量とが対応付けされ、前記第１明暗レベルよりも明暗レベル内の各フレームレートの値が低い第２明暗レベルに第２の音量が対応付けされており、
シャッタ音量決定手段は、フレームレート認識手段によって認識されたフレームレートが含まれる明暗レベル内の各フレームレートの値が低ければ低いほど、シャッタ音の音量をより大きい音量とすることに決定する
請求項３記載のカメラ付き携帯電話機。
【請求項５】
被写体を撮像するカメラを有するカメラ付き携帯電話機において被写体を撮像するときに出力されるシャッタ音の音量を制御するシャッタ音制御方法であって、
前記カメラによって生成されるフレーム画像データの生成割合を示すフレームレートを認識し、
認識されたフレームレートがあらかじめ定められた所定値以下でないときは、シャッタ音の音量を第１の音量とすることに決定し、
認識されたフレームレートが前記所定値以下であったときには、シャッタ音の音量を前記第１の音量よりも大きい第２の音量とすることに決定し、
被写体の撮像指示があったときに、認識されたフレームレートに応じて決定された音量でシャッタ音を出力する
ことを特徴とするシャッタ音制御方法。
【請求項６】
撮像時に被写体に光を照射する発光手段を用いて被写体が撮像されるときは、フレームレートの認識結果にかかわらず、シャッタ音の音量を第１の音量とすることに決定する
請求項５記載のシャッタ音制御方法。
【請求項７】
被写体を撮像するカメラを有するカメラ付き携帯電話機であって、
前記カメラによって生成される撮像対象となっているフレーム画像を示すフレーム画像データの生成割合を示すフレームレートを認識するフレームレート認識手段と、
前記フレームレート認識手段の認識結果に応じて、被写体を撮像するときに出力されるシャッタ音の音出力期間を決定するシャッタ音出力期間決定手段と、
被写体の撮像指示があったときに、前記シャッタ音出力期間決定手段によって決定された音出力期間、シャッタ音を出力するシャッタ音出力手段と、を備え、
前記シャッタ音出力期間決定手段は、
前記フレームレート認識手段によって認識されたフレームレートがあらかじめ定められた所定値以下でないときは、シャッタ音の音出力期間を第１の音出力期間とすることに決定し、
前記フレームレート認識手段によって認識されたフレームレートが前記所定値以下であったときには、シャッタ音の音出力期間を前記第１の音出力期間よりも長い第２の音出力期間とすることに決定する
ことを特徴とするカメラ付き携帯電話機。
【請求項８】
撮像時に被写体に光を照射する発光手段を備え、
シャッタ音出力期間決定手段は、前記発光手段を用いて被写体が撮像されるときは、フレームレート認識手段の認識結果にかかわらず、シャッタ音の音出力期間を第１の音出力期間とすることに決定する
請求項７記載のカメラ付き携帯電話機。
【請求項９】
フレームレートの値を区分けした複数段階の明暗レベルそれぞれにシャッタ音出力期間が対応付けされた音出力期間決定用テーブルが格納された音出力期間決定用テーブル格納手段を備え、
シャッタ音出力期間決定手段は、前記音出力期間決定用テーブルを用いて、フレームレート認識手段によって認識されたフレームレートが含まれる明暗レベルに応じたシャッタ音出力期間を、シャッタ音の音出力期間とすることに決定する
請求項７または請求項８記載のカメラ付き携帯電話機。
【請求項１０】
音出力期間決定用テーブルにおける明暗レベルには、明暗レベル内の各フレームレートの値が低くなるに従って段階的に長い音出力期間となるシャッタ音出力期間が対応付けされており、
前記音出力期間決定用テーブルには、少なくとも、明暗レベル内の各フレームレートの値が最も高い第１明暗レベルと第１の音出力期間とが対応付けされ、前記第１明暗レベルよりも明暗レベル内の各フレームレートの値が低い第２明暗レベルに第２の音出力期間が対応付けされており、
シャッタ音出力期間決定手段は、フレームレート認識手段によって認識されたフレームレートが含まれる明暗レベル内の各フレームレートの値が低ければ低いほど、シャッタ音の音出力期間をより長い音出力期間とすることに決定する
請求項９記載のカメラ付き携帯電話機。
【請求項１１】
被写体を撮像するカメラを有するカメラ付き携帯電話機において被写体を撮像するときに出力されるシャッタ音の音出力期間を制御するシャッタ音制御方法であって、
前記カメラによって生成されるフレーム画像データの生成割合を示すフレームレートを認識し、
認識されたフレームレートがあらかじめ定められた所定値以下でないときは、シャッタ音の音出力期間を第１の音出力期間とすることに決定し、
認識されたフレームレートが前記所定値以下であったときには、シャッタ音の音出力期間を前記第１の音出力期間よりも長い第２の音出力期間とすることに決定し、
被写体の撮像指示があったときに、認識されたフレームレートに応じて決定された音出力期間、シャッタ音を出力する
ことを特徴とするシャッタ音制御方法。
【請求項１２】
撮像時に被写体に光を照射する発光手段を用いて被写体が撮像されるときは、フレームレートの認識結果にかかわらず、シャッタ音の音出力期間を第１の音出力期間とすることに決定する
請求項１１記載のシャッタ音制御方法。
【請求項１３】
被写体を撮像するディジタルカメラであって、
撮像対象となっているフレーム画像を示すフレーム画像データを順次生成するフレーム画像生成手段と、
前記フレーム画像生成手段によるフレーム画像データの生成割合を示すフレームレートを認識するフレームレート認識手段と、
前記フレームレート認識手段の認識結果に応じて、被写体を撮像するときに出力されるシャッタ音の音量を決定するシャッタ音量決定手段と、
被写体の撮像指示があったときに、前記シャッタ音量決定手段によって決定された音量でシャッタ音を出力するシャッタ音出力手段と、を備え、
前記シャッタ音量決定手段は、
前記フレームレート認識手段によって認識されたフレームレートがあらかじめ定められた所定値以下でないときは、シャッタ音の音量を第１の音量とすることに決定し、
前記フレームレート認識手段によって認識されたフレームレートが前記所定値以下であったときには、シャッタ音の音量を前記第１の音量よりも大きい第２の音量とすることに決定する
ことを特徴とするディジタルカメラ。
【請求項１４】
撮像時に被写体に光を照射する発光手段を備え、
シャッタ音量決定手段は、前記発光手段を用いて被写体が撮像されるときは、フレームレート認識手段の認識結果にかかわらず、シャッタ音の音量を第１の音量とすることに決定する
請求項１３記載のディジタルカメラ。
【請求項１５】
被写体を撮像するディジタルカメラであって、
撮像対象となっているフレーム画像を示すフレーム画像データを順次生成するフレーム画像生成手段と、
前記フレーム画像生成手段によるフレーム画像データの生成割合を示すフレームレートを認識するフレームレート認識手段と、
前記フレームレート認識手段の認識結果に応じて、被写体を撮像するときに出力されるシャッタ音の音出力期間を決定するシャッタ音出力期間決定手段と、
被写体の撮像指示があったときに、前記シャッタ音出力期間決定手段によって決定された音出力期間、シャッタ音を出力するシャッタ音出力手段と、を備え、
前記シャッタ音出力期間決定手段は、
前記フレームレート認識手段によって認識されたフレームレートがあらかじめ定められた所定値以下でないときは、シャッタ音の音出力期間を第１の音出力期間とすることに決定し、
前記フレームレート認識手段によって認識されたフレームレートが前記所定値以下であったときには、シャッタ音の音出力期間を前記第１の音出力期間よりも長い第２の音出力期間とすることに決定する
ことを特徴とするディジタルカメラ。
【請求項１６】
撮像時に被写体に光を照射する発光手段を備え、
シャッタ音出力期間決定手段は、前記発光手段を用いて被写体が撮像されるときは、フレームレート認識手段の認識結果にかかわらず、シャッタ音の音出力期間を第１の音出力期間とすることに決定する
請求項１５記載のディジタルカメラ。
【発明の詳細な説明】
【技術分野】
【０００１】
本発明は、カメラ付き携帯電話機に関し、特に、至近距離での盗撮防止のためのシャッタ音制御機能を有するカメラ付き携帯電話端末、そのシャッタ音の音量や鳴動期間を制御するシャッタ音制御方法、およびシャッタ音制御機能を有するディジタルカメラに関する。
【背景技術】
【０００２】
従来、カメラ付き携帯電話機は、撮像指示のためのシャッタがユーザによって押下されたことに応じてシャッタ音を鳴動させ、その鳴動によってシャッタが押されたことを撮像者や被撮像者に知らせる。このシャッタ音は、至近距離での盗撮防止の役割をも担っている。
【０００３】
ところが、人が集中する場所などにおいては、被撮像者や周囲の人がシャッタ音に気付かない場合や、シャッタ音がかすかに聞こえる程度で被撮像者や周囲の人の気にとめられない場合が多いと考えられる。従って、撮像時にシャッタ音を単に出力するだけでは、盗撮防止の万全な対策となっているとは必ずしも言い切れない。
【０００４】
盗撮防止に関連する技術として、例えば、折りたたみ式のカメラ付き携帯電話機の開閉状態を検出し、開状態で撮像するときよりも閉状態で撮像するときの方が大きな音量でシャッタ音が出力される技術がある（例えば、特許文献１参照）。
【０００５】
【特許文献１】特開２００３−１９８８９２号公報（段落００５４、段落００６２）
【発明の開示】
【発明が解決しようとする課題】
【０００６】
しかしながら、特許文献１に記載された技術では、カメラ付き携帯電話機本体の開閉を検出してシャッタ音量を調整するようにしているので、折りたたみ式のカメラ付き携帯電話機にしか適用することができないという課題があった。
【０００７】
また、特許文献１に記載された技術では、折りたたみ式のカメラ付き携帯電話機のカメラが閉状態で使用されるときに、盗撮である可能性があるとしてシャッタ音の音量を大きくするようにしているが、閉状態であるからといって盗撮である可能性が高いとまでは言えず、また、開状態であるからといって盗撮が行われないとは限らない。さらに、閉状態でカメラが使用されることも多いと考えられる。このため、盗撮を有効に防止することはできないという課題もあった。
【０００８】
本発明は、上述した問題を解消し、折りたたみ式の機器に限ることなく、人が集中する場所などにおけるカメラ撮影による盗撮を有効に防止することができるようにすることを目的とする。
【課題を解決するための手段】
【０００９】
本発明によるカメラ付き携帯電話機は、被写体を撮像するカメラ（例えばカメラ２０）を有するカメラ付き携帯電話機（例えばカメラ付き携帯電話機１０）であって、カメラによって生成される撮像対象となっているフレーム画像を示すフレーム画像データの生成割合を示すフレームレートを認識するフレームレート認識手段（例えば制御部４０におけるステップＳ１０５を実行する部分）と、フレームレート認識手段の認識結果に応じて、被写体を撮像するときに出力されるシャッタ音の音量を決定するシャッタ音量決定手段（例えば制御部４０におけるステップＳ１０８を実行する部分）と、被写体の撮像指示があったときに、シャッタ音量決定手段によって決定された音量でシャッタ音を出力するシャッタ音出力手段（例えば制御部４０におけるステップＳ１１０を実行する部分）と、を備え、シャッタ音量決定手段は、フレームレート認識手段によって認識されたフレームレートがあらかじめ定められた所定値（例えば１４［ｆ／ｍ］）以下でないときは、シャッタ音の音量を第１の音量（例えば図３に示すパラメータ値「１」に対応した音量）とすることに決定し、フレームレート認識手段によって認識されたフレームレートが所定値以下であったときには、シャッタ音の音量を第１の音量よりも大きい第２の音量（例えば図３に示すパラメータ値「２」に対応した音量）とすることに決定することを特徴とする。
【００１０】
上記のように構成したことで、カメラフレームレートが低下しているときには、撮像時に大きなシャッタ音を出力することができ、周囲が暗い場所で撮像したときのシャッタ音量を大きくすることができるため、折りたたみ式のカメラ付き携帯電話機に限ることなく、至近距離での盗撮を有効に防止することができる。
【００１１】
撮像時に被写体に光を照射する発光手段を備え、シャッタ音量決定手段が、発光手段を用いて被写体が撮像されるときは、フレームレート認識手段の認識結果にかかわらず、シャッタ音の音量を第１の音量とすることに決定する（例えば、ステップＳ１０９にて、図３に示すフラッシュ設定あり時のパラメータ値テーブルにもとづいて、パラメータ値「１」を選択する）ように構成されていてもよい。
【００１２】
上記のように構成したことで、周囲が暗い場所であっても、発光手段が設定されているときは、撮像したときのシャッタ音量を大きくすることなく、通常の音量でシャッタ音を出力することができるため、盗撮が行われる可能性が低い状態であるときには、シャッタ音量を大きくさせる無用の制御が実行されてしまうことを回避することができる。
【００１３】
フレームレートの値を区分けした複数段階の明暗レベルそれぞれにシャッタ音量が対応付けされた音量決定用テーブル（例えば、図３に示すパラメータ値テーブル）が格納された音量決定用テーブル格納手段（例えばメモリ４１）を備え、シャッタ音量決定手段は、音量決定用テーブルを用いて、フレームレート認識手段によって認識されたフレームレートが含まれる明暗レベルに応じたシャッタ音量を、シャッタ音の音量とすることに決定するように構成されていてもよい。
【００１４】
上記のように構成したことで、フレームレートの値に応じたシャッタ音の音量を容易に決定することができる。
【００１５】
音量決定用テーブルにおける明暗レベルには、明暗レベル内の各フレームレートの値が低くなるに従って段階的に大きい音量となるシャッタ音量が対応付けされており（例えば図３参照）、音量決定用テーブルには、少なくとも、明暗レベル内の各フレームレートの値が最も高い第１明暗レベル（例えば、図３に示すフレームレートが「１５〜」であるレベル）と第１の音量とが対応付けされ、第１明暗レベルよりも明暗レベル内の各フレームレートの値が低い第２明暗レベル（例えば、図３に示すフレームレートが「１０〜１４」であるときのレベル）に第２の音量が対応付けされており、シャッタ音量決定手段は、フレームレート認識手段によって認識されたフレームレートが含まれる明暗レベル内の各フレームレートの値が低ければ低いほど、シャッタ音の音量をより大きい音量とすることに決定するように構成されていてもよい。
【００１６】
上記のように構成したことで、周辺の照度が暗くなっていくに従って、撮像時のシャッタ音の音量を段階的に大きくすることができる。
【００１７】
また、本発明によるシャッタ音制御方法は、被写体を撮像するカメラ（例えばカメラ２０）を有するカメラ付き携帯電話機（例えばカメラ付き携帯電話機１０）において被写体を撮像するときに出力されるシャッタ音の音量を制御するシャッタ音制御方法であって、カメラによって生成されるフレーム画像データの生成割合を示すフレームレートを認識し（例えばステップＳ１０５）、認識されたフレームレートがあらかじめ定められた所定値以下でないときは、シャッタ音の音量を第１の音量とすることに決定し（例えばステップＳ１０８）、認識されたフレームレートが所定値以下であったときには、シャッタ音の音量を第１の音量よりも大きい第２の音量とすることに決定し（例えばステップＳ１０８）、被写体の撮像指示があったときに、認識されたフレームレートに応じて決定された音量でシャッタ音を出力する（例えばステップＳ１１０）ことを特徴とする。
【００１８】
上記のように構成したことで、カメラフレームレートが低下しているときには、撮像時に大きなシャッタ音を出力することができ、周囲が暗い場所で撮像したときのシャッタ音量を大きくすることができるため、折りたたみ式のカメラ付き携帯電話機に限ることなく、至近距離での盗撮を有効に防止することができる。
【００１９】
撮像時に被写体に光を照射する発光手段を用いて被写体が撮像されるときは、フレームレートの認識結果にかかわらず、シャッタ音の音量を第１の音量とすることに決定する（例えばステップＳ１０９）ように構成されていてもよい。
【００２０】
上記のように構成したことで、周囲が暗い場所であっても、フラッシュが設定されているときは、撮像したときのシャッタ音量を大きくすることなく、通常の音量でシャッタ音を出力することができるため、盗撮が行われる可能性が低い状態であるときには、シャッタ音量を大きくさせる無用の制御が実行されてしまうことを回避することができる。
【００２１】
また、本発明によるカメラ付き携帯電話機は、被写体を撮像するカメラ（例えばカメラ２０）を有するカメラ付き携帯電話機（例えばカメラ付き携帯電話機１０）であって、カメラによって生成される撮像対象となっているフレーム画像を示すフレーム画像データの生成割合を示すフレームレートを認識するフレームレート認識手段（例えば制御部４０におけるステップＳ２０５を実行する部分）と、フレームレート認識手段の認識結果に応じて、被写体を撮像するときに出力されるシャッタ音の音出力期間を決定するシャッタ音出力期間決定手段（例えば制御部４０におけるステップＳ２０８を実行する部分）と、被写体の撮像指示があったときに、シャッタ音出力期間決定手段によって決定された音出力期間、シャッタ音を出力するシャッタ音出力手段（例えば制御部４０におけるステップＳ２１０を実行する部分）と、を備え、シャッタ音出力期間決定手段は、フレームレート認識手段によって認識されたフレームレートがあらかじめ定められた所定値（例えば１４［ｆ／ｍ］）以下でないときは、シャッタ音の音出力期間を第１の音出力期間（例えば図５に示すパラメータ値「１」に対応した鳴動期間）とすることに決定し、フレームレート認識手段によって認識されたフレームレートが所定値以下であったときには、シャッタ音の音出力期間を第１の音出力期間よりも長い第２の音出力期間（例えば図５に示すパラメータ値「２」に対応した鳴動期間）とすることに決定することを特徴とする。
【００２２】
上記のように構成したことで、カメラフレームレートが低下しているときには、撮像時にシャッタ音を長く出力することができ、周囲が暗い場所で撮像したときのシャッタ音を長く鳴動させることができるため、折りたたみ式のカメラ付き携帯電話機に限ることなく、至近距離での盗撮を有効に防止することができる。
【００２３】
撮像時に被写体に光を照射する発光手段を備え、シャッタ音出力期間決定手段は、発光手段を用いて被写体が撮像されるときは、フレームレート認識手段の認識結果にかかわらず、シャッタ音の音出力期間を第１の音出力期間とすることに決定する（例えば、ステップＳ２０９にて、図５に示すフラッシュ設定あり時のパラメータ値テーブルにもとづいて、パラメータ値「１」を選択する）ように構成されていてもよい。
【００２４】
上記のように構成したことで、周囲が暗い場所であっても、フラッシュが設定されているときは、撮像したときのシャッタ音の鳴動期間を延長することなく、通常の鳴動期間でシャッタ音を出力することができるため、盗撮が行われる可能性が低い状態であるときには、シャッタ音の鳴動期間を延長させる無用の制御が実行されてしまうことを回避することができる。
【００２５】
フレームレートの値を区分けした複数段階の明暗レベルそれぞれにシャッタ音出力期間が対応付けされた音出力期間決定用テーブル（例えば、図５に示すパラメータ値テーブル）が格納された音出力期間決定用テーブル格納手段（例えばメモリ４１）を備え、シャッタ音出力期間決定手段は、音出力期間決定用テーブルを用いて、フレームレート認識手段によって認識されたフレームレートが含まれる明暗レベルに応じたシャッタ音出力期間を、シャッタ音の音出力期間とすることに決定するように構成されていてもよい。
【００２６】
上記のように構成したことで、フレームレートの値に応じたシャッタ音の出力期間を容易に決定することができる。
【００２７】
音出力期間決定用テーブルにおける明暗レベルには、明暗レベル内の各フレームレートの値が低くなるに従って段階的に長い音出力期間となるシャッタ音出力期間が対応付けされており（例えば図５参照）、音出力期間決定用テーブルには、少なくとも、明暗レベル内の各フレームレートの値が最も高い第１明暗レベル（例えば、図５に示すフレームレートが「１５〜」であるレベル）と第１の音出力期間とが対応付けされ、第１明暗レベルよりも明暗レベル内の各フレームレートの値が低い第２明暗レベル（例えば、図５に示すフレームレートが「１０〜１４」であるときのレベル）に第２の音出力期間が対応付けされており、シャッタ音出力期間決定手段は、フレームレート認識手段によって認識されたフレームレートが含まれる明暗レベル内の各フレームレートの値が低ければ低いほど、シャッタ音の音出力期間をより長い音出力期間とすることに決定するように構成されていてもよい。
【００２８】
上記のように構成したことで、周辺の照度が暗くなっていくに従って、撮像時のシャッタ音の出力期間を段階的に長くすることができる。
【００２９】
また、本発明によるシャッタ音制御方法は、被写体を撮像するカメラを有するカメラ付き携帯電話機において被写体を撮像するときに出力されるシャッタ音の音出力期間を制御するシャッタ音制御方法であって、カメラによって生成されるフレーム画像データの生成割合を示すフレームレートを認識し（例えばステップＳ２０５）、認識されたフレームレートがあらかじめ定められた所定値以下でないときは、シャッタ音の音出力期間を第１の音出力期間とすることに決定し（例えばステップＳ２０８）、認識されたフレームレートが所定値以下であったときには、シャッタ音の音出力期間を第１の音出力期間よりも長い第２の音出力期間とすることに決定し（例えばステップＳ２０８）、被写体の撮像指示があったときに、認識されたフレームレートに応じて決定された音出力期間、シャッタ音を出力する（例えばステップＳ２１０）ことを特徴とする。
【００３０】
上記のように構成したことで、カメラフレームレートが低下しているときには、撮像時にシャッタ音を長く出力することができ、周囲が暗い場所で撮像したときのシャッタ音を長く鳴動させることができるため、折りたたみ式のカメラ付き携帯電話機に限ることなく、至近距離での盗撮を有効に防止することができる。
【００３１】
撮像時に被写体に光を照射する発光手段を用いて被写体が撮像されるときは、フレームレートの認識結果にかかわらず、シャッタ音の音出力期間を第１の音出力期間とすることに決定する（例えば、ステップＳ２０９にて、図５に示すフラッシュ設定あり時のパラメータ値テーブルにもとづいて、パラメータ値「１」を選択する）ように構成されていてもよい。
【００３２】
上記のように構成したことで、周囲が暗い場所であっても、フラッシュが設定されているときは、撮像したときのシャッタ音の鳴動期間を延長することなく、通常の鳴動期間でシャッタ音を出力することができるため、盗撮が行われる可能性が低い状態であるときには、シャッタ音の鳴動期間を延長させる無用の制御が実行されてしまうことを回避することができる。
【００３３】
また、本発明によるディジタルカメラは、被写体を撮像するディジタルカメラであって、撮像対象となっているフレーム画像を示すフレーム画像データを順次生成するフレーム画像生成手段と、フレーム画像生成手段によるフレーム画像データの生成割合を示すフレームレートを認識するフレームレート認識手段と、フレームレート認識手段の認識結果に応じて、被写体を撮像するときに出力されるシャッタ音の音量を決定するシャッタ音量決定手段と、被写体の撮像指示があったときに、シャッタ音量決定手段によって決定された音量でシャッタ音を出力するシャッタ音出力手段と、を備え、シャッタ音量決定手段は、フレームレート認識手段によって認識されたフレームレートがあらかじめ定められた所定値以下でないときは、シャッタ音の音量を第１の音量とすることに決定し、フレームレート認識手段によって認識されたフレームレートが所定値以下であったときには、シャッタ音の音量を第１の音量よりも大きい第２の音量とすることに決定することを特徴とする。
【００３４】
上記のように構成したことで、カメラフレームレートが低下しているときには、撮像時に大きなシャッタ音を出力することができ、周囲が暗い場所で撮像したときのシャッタ音量を大きくすることができるため、至近距離での盗撮を有効に防止することができる。
【００３５】
撮像時に被写体に光を照射する発光手段を備え、シャッタ音量決定手段は、発光手段を用いて被写体が撮像されるときは、フレームレート認識手段の認識結果にかかわらず、シャッタ音の音量を第１の音量とすることに決定するように構成されていてもよい。
【００３６】
上記のように構成したことで、周囲が暗い場所であっても、フラッシュが設定されているときは、撮像したときのシャッタ音量を大きくすることなく、通常の音量でシャッタ音を出力することができるため、盗撮が行われる可能性が低い状態であるときには、シャッタ音量を大きくさせる無用の制御が実行されてしまうことを回避することができる。
【００３７】
さらに、本発明によるディジタルカメラは、被写体を撮像するディジタルカメラであって、撮像対象となっているフレーム画像を示すフレーム画像データを順次生成するフレーム画像生成手段と、フレーム画像生成手段によるフレーム画像データの生成割合を示すフレームレートを認識するフレームレート認識手段と、フレームレート認識手段の認識結果に応じて、被写体を撮像するときに出力されるシャッタ音の音出力期間を決定するシャッタ音出力期間決定手段と、被写体の撮像指示があったときに、シャッタ音出力期間決定手段によって決定された音出力期間、シャッタ音を出力するシャッタ音出力手段と、を備え、シャッタ音出力期間決定手段は、フレームレート認識手段によって認識されたフレームレートがあらかじめ定められた所定値以下でないときは、シャッタ音の音出力期間を第１の音出力期間とすることに決定し、フレームレート認識手段によって認識されたフレームレートが所定値以下であったときには、シャッタ音の音出力期間を第１の音出力期間よりも長い第２の音出力期間とすることに決定することを特徴とする。
【００３８】
上記のように構成したことで、カメラフレームレートが低下しているときには、撮像時にシャッタ音を長く出力することができ、周囲が暗い場所で撮像したときのシャッタ音を長く鳴動させることができるため、至近距離での盗撮を有効に防止することができる。
【００３９】
撮像時に被写体に光を照射する発光手段を備え、シャッタ音出力期間決定手段は、発光手段を用いて被写体が撮像されるときは、フレームレート認識手段の認識結果にかかわらず、シャッタ音の音出力期間を第１の音出力期間とすることに決定するように構成されていてもよい。
【００４０】
上記のように構成したことで、周囲が暗い場所であっても、フラッシュが設定されているときは、撮像したときのシャッタ音の鳴動期間を延長することなく、通常の鳴動期間でシャッタ音を出力することができるため、盗撮が行われる可能性が低い状態であるときには、シャッタ音の鳴動期間を延長させる無用の制御が実行されてしまうことを回避することができる。
【発明の効果】
【００４１】
本発明によれば、カメラフレームレートが低下しているときには、撮像時に大きなシャッタ音を出力する構成としたので、周囲が暗い場所で撮像したときにシャッタ音量を大きくすることができ、折りたたみ式の機器に限ることなく、至近距離での盗撮を有効に防止することができる。
【００４２】
また、本発明によれば、カメラフレームレートが低下しているときには、撮像時に長くシャッタ音を出力する構成としたので、周囲が暗い場所で撮像したときにシャッタ音を長く出力することができ、折りたたみ式の機器に限ることなく、至近距離での盗撮を有効に防止することができる。
【発明を実施するための最良の形態】
【００４３】
以下、本発明の実施の形態について図面を参照して説明する。
【００４４】
上述したように、人が集中する場所などにおいては、撮像時にシャッタ音を単に出力するだけでは、盗撮防止の万全な対策となっていない。
【００４５】
人が集中する場所における盗撮の多くは、カメラ付き携帯電話機を隠した状態でカメラ撮影が行われると考えられる。このため、多くの場合、盗撮時には、カメラ付き携帯電話機が暗い環境下に置かれることになると推察される。
【００４６】
以下に示す実施の形態では、暗い環境下に置かれているカメラ付き携帯電話機によってカメラ撮影が行われるときには、そのカメラ撮影が盗撮である可能性があるとし、被盗撮者や周囲の他の人がシャッタ音を聞き取りやすくすることで、盗撮の抑止を通じて盗撮を有効に防止することができるカメラ付き携帯電話機等が実現されている。
【００４７】
図１は、本発明の一実施の形態におけるカメラ付き携帯電話機１０の構成の例を示すブロック図である。
【００４８】
図１に示すように、カメラ付き携帯電話機１０は、カメラ２０と、ＬＣＤ（Ｌｉｑｕｉｄ  Ｃｒｙｓｔａｌ  Ｄｉｓｐｌａｙ）表示部３０と、制御部４０と、無線部５０と、アンテナ５１と、操作部６０と、マイクロフォン（マイク）７０と、電池８０と、スピーカ９０とを含む。
【００４９】
制御部４０は、メモリ４１と、ＣＰＵ４２と、図示しない各種の周辺回路とで構成され、電話機１０が備える各部の制御を行う機能を有する。
【００５０】
メモリ４１は、例えばＲＡＭなどの記憶媒体によって構成され、制御プログラムなどの各種のデータが格納される。なお、メモリ４１の一部がＲＯＭによって構成されていてもよく、ＲＯＭ部分に制御プログラムが格納されていてもよい。
【００５１】
ＣＰＵ４２は、メモリ４１に格納された制御プログラムに従って、カメラ２０、ＬＣＤ表示部３０、無線部５０、マイク７０、スピーカ９０などの各部の制御を行う。
【００５２】
具体的には、ＣＰＵ４２は、例えば、ユーザ操作によって操作部６０から入力された操作信号にもとづくＬＣＤ表示部３０への画像表示指示などの各種の処理を実行する。
【００５３】
カメラユニット（以下、「カメラ」という。）２０は、例えばディジタルカメラが備える各種の機能を有し、被写体を撮像するＣＣＤ等の撮像素子や、撮像によった得た画像データを制御部４０に出力する回路などを備えている。また、カメラ２０は、後述するカメラファインダ表示時には、カメラフレーム毎にフレーム画像を表示するための画像データを生成し、生成した画像データを制御部４０に出力する処理を行う回路を有する。また、カメラ２０には、ストロボ等の発光手段が含まれている。ただし、発光手段は、カメラ２０とは別に設けられていてもよい。
【００５４】
ＬＣＤ表示部３０は、制御部４０からの指示にもとづく各種の表示を行う機能を有する。カメラファインダ表示が行われているときは、カメラ２０からの画像データが制御部４０にて表示データ形式に順次変換されるとともに、変換された表示データにもとづく画像がＬＣＤ表示部３０に順次表示される。
【００５５】
なお、「カメラファインダ表示（ファインダ表示）」とは、撮像対象となっている被写体を示す画像の表示を意味する。すなわち、カメラファインダ表示時には、被写体を示す画像がＬＣＤ表示部３０に表示される。
【００５６】
無線部５０は、信号の変復調を行う機能を有する。具体的には、無線部５０は、無線信号を、アンテナ５１を介して受信して復調する処理を行う。また、無線部５０は、制御部４０から出力された信号を変調し、アンテナ５１を介して無線信号を送信する機能を有する。
【００５７】
操作部６０は、例えば電話番号の入力などを行うためのボタンやカメラ２０での撮像を指示するためのシャッタなどの入力装置によって構成され、ユーザの操作に応じた入力信号を制御部４０に出力する機能を有する。
【００５８】
マイク７０は、通話時にユーザが発した音声を音声信号に変換し、制御部４０に出力する機能を有する。
【００５９】
電池８０は、例えば交換可能な充電式の電池によって構成され、電話機１００の駆動電圧を供給する電源として用いられる。
【００６０】
スピーカ９０は、通話時にアンテナ５１と無線部５０とを介して受信した音声データにもとづく音声や、シャッタ音（「カシャ」というスチルカメラのシャッタ音を模した音、メロディ、「写真を撮ります」や「ハイ、チーズ」などの音声メッセージ、などの各種の音が用いられる）、着信音などの各種の音声出力を行う機能を有する。
【００６１】
本例の電話機１０は、通話時には、マイク７０から入力したアナログ音声を制御部４０にてディジタル変換し、無線部５０およびアンテナ５１を介して送信する。また、通話時に、アンテナ５１および無線部５０を介して受信した音声データは、制御部４０にてアナログ変換し、スピーカ９０より音声出力する。
【００６２】
図２は、周辺照度とカメラフレームレートとの関係の例を示す説明図である。カメラ２０は、周辺照度を計測するためのルクスメータを備えており、周辺照度に応じて、ファインダ表示時に、単位時間あたりに生成するフレーム画像データの数（カメラフレームレート、フレームレート）を異ならせる機能を有している。なお、このような機能は、一般に、ディジタルカメラに備えられている。
【００６３】
図２（Ａ）は、周辺照度が通常の照度ａであるときのカメラフレームレートの例を示す説明図である。図２（Ｂ）は、周辺照度が照度ａよりも低い照度ｂであるときのカメラフレームレートの例を示す説明図である。図２（Ｃ）は、周辺照度が照度ｂよりもさらに低い照度ｃであるときのカメラフレームレートの例を示す説明図である。図２（Ｄ）は、周辺照度が照度ｃよりもさらに低い照度ｄであるときのカメラフレームレートの例を示す説明図である。
【００６４】
図２では、通常の明るさ（例えばフラッシュが必要でない程度の明るさ）であるときの照度ａと、照度ａよりもやや暗い（例えばフラッシュが必要となる程度の暗さ）ときの照度ｂと、照度ｂよりもさらに暗いときの照度ｃと、照度ｃよりもさらに暗いときの照度ｄとであるときそれぞれについて、１フレーム分のフレーム生成期間（フレーム期間）の例が示されている。
【００６５】
カメラ２０は、図２（Ａ）〜図２（Ｄ）に示すＬ区間で露光（光量の取得：画像データの生成）を行い、露光によって得られた画像データをＨ区間で出力する。すなわち、Ｌ区間が露光期間となり、Ｌ区間とＨ区間との和がフレーム期間となる。
【００６６】
図２（Ａ）〜図２（Ｄ）に示すように、この例では、照度ａであるときはフレームレートが１５［ｆ／ｓ］となり、照度ｂであるときはフレームレートが７．５［ｆ／ｓ］となり、照度ｃであるときはフレームレートが５［ｆ／ｓ］となり、照度ｄであるときはフレームレートが３．７５［ｆ／ｓ］となる。
【００６７】
よって、フレーム期間（各フレームの生成間隔と同値である）は、照度ａであるときは１／１５［ｓ］となり、照度ｂであるときは２／１５［ｓ］となり、照度ｃであるときは３／１５［ｓ］となり、照度ｄであるときは４／１５［ｓ］となる。
【００６８】
すなわち、フレーム期間は、照度ａであるときと比較して、照度ｂまで明るさが低下すると２倍の期間となり、照度ｃまで明るさが低下すると３倍の期間となり、照度ｄにまで低下してさらに暗くなると４倍の期間となる。
【００６９】
図２（Ａ）〜図２（Ｄ）に示すように、カメラ２０は、照度が低ければ低いほど、露光期間をより長く確保するために、カメラフレームレートをより低下させ、フレーム画像データの単位時間あたりの生成数を減少させる。
【００７０】
図３は、カメラフレームレートに応じたシャッタ音量を決定するためのパラメータ値テーブルの例を示す説明図である。パラメータ値テーブルは、メモリ４１に格納されている。
【００７１】
パラメータ値テーブルには、図３に示すように、カメラフレームレートとパラメータ値とが対応付けされて設定されている。この例では、パラメータ値テーブルには、フラッシュ設定なし時のときに選択され得る各パラメータ値が設定されている部分と、フラッシュ設定あり時のときに選択され得る各パラメータ値が設定されている部分とがある。なお、フラッシュ設定なし時、あるいはフラッシュ設定あり時のときに用いられる部分のみを差して、パラメータ値テーブルということがある。
【００７２】
本例では、パラメータ値「１」は、電話機１０でのデフォルトにもとづく音量のシャッタ音を出力する際に選択される。この例では、各パラメータ値は、そのパラメータ値が大きい値となるに従って、対応して出力されるシャッタ音の音量が大きくなるように設定されている。
【００７３】
図３に示すように、本例では、フラッシュ設定なし時に用いられるパラメータ値テーブルは、カメラフレームレートが１５［ｆ／ｓ］以上であるときはパラメータ値「１」が選択され、カメラフレームレートが１０［ｆ／ｓ］以上かつ１４［ｆ／ｓ］以下であるときはパラメータ値「２」が選択され、カメラフレームレートが５［ｆ／ｓ］以上かつ９［ｆ／ｓ］以下であるときはパラメータ値「３」が選択され、カメラフレームレートが４［ｆ／ｓ］以下であるときはパラメータ値「４」が選択されるように設定されている。
【００７４】
この例では、カメラフレームレートの範囲は、カメラフレームレートが１５［ｆ／ｓ］以上であるときと、カメラフレームレートが１０［ｆ／ｓ］以上かつ１４［ｆ／ｓ］以下であるときと、カメラフレームレートが５［ｆ／ｓ］以上かつ９［ｆ／ｓ］以下であるときと、カメラフレームレートが４［ｆ／ｓ］以下であるときとの４段階のレベル（明暗レベル）に区分けされている。
【００７５】
フラッシュ設定なし時に用いられるパラメータ値テーブルでは、明暗レベルが低下する（レベル内のカメラフレームレートの値が高い明暗レベルから、レベル内のカメラフレームレートの値が低い明暗レベルに低下したときを意味する）に従って、シャッタ音の音量が段階的に大きくなるように、明暗レベルとパラメータ値との対応付けがなされている。
【００７６】
また、図３に示すように、本例では、フラッシュ設定あり時に用いられるパラメータ値テーブルは、カメラフレームレートに関わらず、デフォルトの音量でシャッタ音を出力させるためのパラメータ値「１」が選択されるように設定されている。フラッシュ設定あり時には、盗撮である可能性は低いことから、本例では、カメラフレームレートの変化の有無に関わらず、常に通常の音量でシャッタ音が出力されるようにパラメータ値テーブルが設定されている。
【００７７】
なお、「フラッシュ設定あり時」は、発光手段を併用した撮像を行う旨の設定がなされているときを意味し、「フラッシュ設定なし時」は、発光手段を併用した撮像を行う旨の設定がなされていないときを意味する。
【００７８】
次に、カメラ付き携帯電話機１０の動作について詳細に説明する。
図４は、一実施の形態におけるカメラ付き携帯電話機１０が実行するシャッタ音量制御処理を含む撮像処理の例を示すフローチャートである。
【００７９】
撮像処理において、まず、制御部４０は、ユーザ操作（カメラ機能の起動操作）にもとづく操作部６０からの操作信号の入力に応じて、カメラ２０の起動処理を行うとともに（ステップＳ１０１）、ＬＣＤ表示部３０でのファインダ表示を開始する処理を行う（ステップＳ１０２）。
【００８０】
次いで、制御部４０は、カメラ２０からカメラフレームレートを読み出し（ステップＳ１０３）、読み出した値をメモリ４１に格納する（ステップＳ１０４）。制御部４０は、ステップＳ１０３およびステップＳ１０４の処理によって、現状のカメラフレームレートを認識する（ステップＳ１０５）。
【００８１】
すなわち、制御部４０は、ステップＳ１０５にて、ステップＳ１０３にて読み出しステップＳ１０４にて格納したカメラフレームレートを、カメラ２０での現状のカメラフレームレートとして認識する。
【００８２】
なお、ステップＳ１０３にて読み出されるカメラフレームレートは、カメラ２０内で順次更新されて保存されている現状のカメラフレームレートである。
【００８３】
なお、制御部４０は、カメラ２０からの各フレーム画像データの入力タイミングにもとづいて、現状のカメラフレームレートを導出してメモリ４１に格納し、現状のカメラフレームレートを認識するようにしてもよい。
【００８４】
そして、制御部４０は、シャッタ（操作部６０）が押下されていなければ（ステップＳ１０６のＮ）、ステップＳ１０３の処理に戻る。
【００８５】
すなわち、制御部４０は、上記のステップＳ１０３〜ステップＳ１０５の処理を、ファインダ表示を開始してから、シャッタの押下を認識するまで、繰り返し実行する。そして、制御部４０は、現状のカメラフレームレートの認識を順次更新していく。
【００８６】
制御部４０は、シャッタの押下を認識すると（ステップＳ１０６のＹ）、カメラフラッシュ設定がなされているか否か判定する（ステップＳ１０７）。
【００８７】
なお、カメラフラッシュ設定あり／カメラフラッシュ設定なしの現在の状態を示すデータは、例えばメモリ４１に格納されている。制御部４０は、メモリ４１に格納されているカメラフラッシュ設定あり／なしを示すデータに応じて、ステップＳ１０７での判定結果を導出する。
【００８８】
判定結果が「カメラフラッシュ設定なし」であれば、制御部４０は、カメラフラッシュ設定なし時のパラメータ値テーブルを用いて、現在のカメラフレームレートに従ってシャッタ音量パラメータ値（図３に示すパラメータ値）を設定する（ステップＳ１０８）。
【００８９】
判定結果が「カメラフラッシュ設定あり」であれば、制御部４０は、カメラフラッシュ設定あり時のパラメータ値テーブルを用いて、現在のカメラフレームレートに従ってシャッタ音量パラメータ値を設定する（ステップＳ１０９）。
【００９０】
シャッタ音量パラメータ値を設定すると、制御部４０は、設定したシャッタ音量パラメータ値に応じた音量で、シャッタ音を鳴動し（ステップＳ１１０）、ファインダ表示されている画像を撮像画像として取り込むための画像取り込み処理を行う（ステップＳ１１１）。
【００９１】
上記のように、現状のカメラフレームレートに応じたシャッタ音量パラメータ値を選択し、選択したパラメータ値に応じた音量でシャッタ音を出力する処理を行うことで、ユーザがフラッシュの設定をしないでカメラ２０による撮像を行うときに、周囲の明るさに応じた音量でシャッタ音を出力することができる。すなわち、カメラフレームレートの低下に同期してシャッタ音の音量を拡大させているので、周囲が暗ければ暗いほどより大きな音量でシャッタ音を出力することができる。
【００９２】
以上説明したように、本発明の一実施の形態では、カメラフレームレートが低下しているときには、シャッタ音量を上げて大きなシャッタ音を出力する構成としたので、周囲が暗い場所でカメラ撮像したときにシャッタ音量を大きくすることができ、至近距離での盗撮を防止することができる。
【００９３】
なお、折りたたみ式の携帯電話機の開閉状態に限らないシャッタ音の音量制御を行っているので、折りたたみ式の携帯電話機に限らず、様々な形式のカメラ付き携帯電話機に広く利用することができ、至近距離での盗撮を防止することができる。
【００９４】
また、上述した一実施の形態では、カメラフレームレートが低下に応じて段階的にシャッタ音量を上昇させ、大きなシャッタ音を出力する構成としたので、周囲の暗さに応じた音量でシャッタ音を出力することができ、真っ暗な場所では大音量でシャッタ音を出力し、通常の明るさはないが多少暗いような場所ではやや大きめの音量でシャッタ音を出力することができるようになる。このため、より暗い場所でカメラ撮像したときにはシャッタ音量をより大きくすることができ、至近距離での盗撮を防止することができる。
【００９５】
また、上述した一実施の形態では、フラッシュ設定がされていないときにのみ、カメラフレームレートの低下に応じた音量でシャッタ音を出力する構成としているので、周囲が暗い場所にもかかわらずフラッシュなしで撮像したときに、シャッタ音量を大きくすることができ、至近距離での盗撮を防止することができる。
【００９６】
また、上述した一実施の形態では、カメラ付き携帯電話機における既存の構成を大幅に援用した構成としているので、カメラ付き携帯電話機１０を低コストかつ容易に製造することができる。
【００９７】
なお、上述した一実施の形態では、カメラフレームレートの遅さに応じてシャッタ音量を大きくする構成としていたが、カメラフレームレートの遅さに応じてシャッタ音の鳴動期間を長くする構成としてもよい。
【００９８】
以下、他の実施の形態としてのカメラフレームレートの大きさ応じたシャッタ音の鳴動期間の制御を行う場合の例について、上述したカメラ付き携帯電話機１０を参照して説明する。すなわち、カメラ付き携帯電話機の回路構成は上述した一実施の形態と同様の構成とされる。
【００９９】
図５は、カメラフレームレートに応じたシャッタ音の鳴動期間を決定するためのパラメータ値テーブルの例を示す説明図である。このパラメータ値テーブルは、メモリ４１に格納されている。
【０１００】
パラメータ値テーブルには、図５に示すように、カメラフレームレートとパラメータ値とが対応付けされて設定されている。この例では、パラメータ値テーブルには、フラッシュ設定なし時のときに選択され得る各パラメータ値が設定されている部分と、フラッシュ設定あり時のときに選択され得る各パラメータ値が設定されている部分とがある。なお、フラッシュ設定なし時、あるいはフラッシュ設定あり時のときに用いられる部分のみを差して、パラメータ値テーブルということがある。
【０１０１】
この例では、パラメータ値「１」は、電話機１０でのデフォルトにもとづく音量のシャッタ音を出力する際に選択される。また、ここでは、各パラメータ値は、そのパラメータ値が大きい値となるに従って、対応して出力されるシャッタ音の鳴動期間が長くなるように設定されている。
【０１０２】
図５に示すように、本例では、フラッシュ設定なし時に用いられるパラメータ値テーブルは、カメラフレームレートが１５［ｆ／ｓ］以上であるときはパラメータ値「１」が選択され、カメラフレームレートが１０［ｆ／ｓ］以上かつ１４［ｆ／ｓ］以下であるときはパラメータ値「２」が選択され、カメラフレームレートが５［ｆ／ｓ］以上かつ９［ｆ／ｓ］以下であるときはパラメータ値「３」が選択され、カメラフレームレートが４［ｆ／ｓ］以下であるときはパラメータ値「４」が選択されるように設定されている。
【０１０３】
この例では、カメラフレームレートの範囲は、カメラフレームレートが１５［ｆ／ｓ］以上であるときと、カメラフレームレートが１０［ｆ／ｓ］以上かつ１４［ｆ／ｓ］以下であるときと、カメラフレームレートが５［ｆ／ｓ］以上かつ９［ｆ／ｓ］以下であるときと、カメラフレームレートが４［ｆ／ｓ］以下であるときとの４段階のレベル（明暗レベル）に区分けされている。
【０１０４】
フラッシュ設定なし時に用いられるパラメータ値テーブルでは、明暗レベルが低下する（レベル内のカメラフレームレートの値が高い明暗レベルから、レベル内のカメラフレームレートの値が低い明暗レベルに低下したときを意味する）に従って、シャッタ音の鳴動期間が段階的に長くなるように、明暗レベルとパラメータ値との対応付けがなされている。
【０１０５】
また、図５に示すように、本例では、フラッシュ設定あり時に用いられるパラメータ値テーブルは、カメラフレームレートに関わらず、デフォルトの鳴動期間だけシャッタ音を出力させるためのパラメータ値「１」が選択されるように設定されている。フラッシュ設定あり時には、盗撮である可能性は低いことから、本例では、カメラフレームレートの変化の有無に関わらず、常に通常の鳴動期間だけシャッタ音が出力されるようにパラメータ値テーブルが設定されている。
【０１０６】
次に、他の実施の形態におけるカメラ付き携帯電話機１０の動作について詳細に説明する。図６は、他の実施の形態におけるカメラ付き携帯電話機１０が実行するシャッタ音鳴動期間制御処理を含む撮像処理の例を示すフローチャートである。
【０１０７】
なお、図６に示すステップＳ２０１〜ステップＳ２０７は、上述したＳ１０１〜ステップＳ１０７と同一の処理であるため、その詳細な説明は省略する。
【０１０８】
撮像処理において、まず、制御部４０は、ステップＳ２０１〜ステップＳ２０７の処理を実行したあと、ステップＳ２０７での判定結果が「カメラフラッシュ設定なし」であれば、カメラフラッシュ設定なし時のパラメータ値テーブルを用いて、現在のカメラフレームレートに従ってシャッタ音鳴動期間パラメータ値（図５に示すパラメータ値）を設定する（ステップＳ２０８）。
【０１０９】
判定結果が「カメラフラッシュ設定あり」であれば、制御部４０は、カメラフラッシュ設定あり時のパラメータ値テーブルを用いて、現在のカメラフレームレートに従ってシャッタ音鳴動期間パラメータ値を設定する（ステップＳ２０９）。
【０１１０】
シャッタ音鳴動期間パラメータ値を設定すると、制御部４０は、設定したシャッタ音鳴動期間パラメータ値に応じた鳴動期間、シャッタ音を鳴動し（ステップＳ２１０）、ファインダ表示されている画像を撮像画像として取り込むための画像取り込み処理を行う（ステップＳ２１１）。
【０１１１】
上記のように、現状のカメラフレームレートに応じたシャッタ音鳴動期間パラメータ値を選択し、選択したパラメータ値に応じた鳴動期間、シャッタ音を出力する処理を行うことで、ユーザがフラッシュの設定をしないでカメラ２０による撮像を行うときに、周囲の明るさに応じた鳴動期間、シャッタ音を継続して出力することができる。すなわち、カメラフレームレートの低下に同期してシャッタ音の鳴動時間を延長させているので、周囲が暗ければ暗いほどより長い期間シャッタ音を鳴動させることができる。
【０１１２】
上記の他の実施の形態では、カメラフレームレートが低下しているときには、シャッタ音の鳴動期間を延長して長くシャッタ音を出力する構成としたので、周囲が暗い場所で撮像したときに、シャッタ音を長期間鳴動させることができ、至近距離での盗撮を防止することができる。
【０１１３】
なお、折りたたみ式の携帯電話機の開閉状態に限らないシャッタ音の鳴動期間延長制御を行っているので、折りたたみ式の携帯電話機に限らず、様々な形式のカメラ付き携帯電話機に広く利用することができ、至近距離での盗撮を防止することができる。
【０１１４】
上記の他の実施の形態では、カメラフレームレートの低下に応じて段階的にシャッタ音の鳴動期間を延長させ、より長期間シャッタ音を出力する構成としたので、周囲の暗さに応じた期間だけシャッタ音を出力することができ、真っ暗な場所では長期間シャッタ音を出力し、通常の明るさはないが多少暗いような場所ではやや長い期間シャッタ音を出力することができるようになる。このため、より暗い場所でカメラ撮像したときにはシャッタの鳴動期間を長くすることができ、至近距離での盗撮を防止することができる。
【０１１５】
また、上記の他の実施の形態では、フラッシュ設定がされていないときに、カメラフレームレートの低下に応じた期間でシャッタ音を出力する構成としているので、周囲が暗い場所にもかかわらずフラッシュなしで撮像したときに、シャッタ音量を大きくすることができ、至近距離での盗撮を防止することができる。
【０１１６】
また、上記の他の実施の形態についても、カメラ付き携帯電話機における既存の構成を大幅に援用した構成としているので、カメラ付き携帯電話機１０を低コストかつ容易に製造することができる。
【０１１７】
なお、上述した各実施の形態では、カメラ付き携帯電話機１０が実行する各処理は、メモリ４１に格納された制御プログラム（シャッタ音制御プログラム）に従って実行される。
【０１１８】
具体的には、シャッタ音制御プログラムは、例えば、被写体を撮像するカメラを有するカメラ付き携帯電話機１０において被写体を撮像するときに出力されるシャッタ音の音量を制御させるシャッタ音制御プログラムであって、カメラ付き携帯電話機１０に、カメラによって生成されるフレーム画像データの生成割合を示すフレームレートを認識するステップと、認識されたフレームレートがあらかじめ定められた所定値以下でないときは、シャッタ音の音量を第１の音量とすることに決定するステップと、認識されたフレームレートが所定値以下であったときには、シャッタ音の音量を第１の音量よりも大きい第２の音量とすることに決定するステップと、被写体の撮像指示があったときに、認識されたフレームレートに応じて決定された音量でシャッタ音を出力するステップとを実行させるプログラムを含む。
【０１１９】
上記のシャッタ音制御プログラムは、例えば、カメラ付き携帯電話機１０に、さらに、撮像時に被写体に光を照射する発光手段を併用して被写体が撮像されるときは、フレームレートの認識結果にかかわらず、シャッタ音の音量を第１の音量とすることに決定するステップを実行させるプログラムであってもよい。
【０１２０】
また、具体的には、シャッタ音制御プログラムは、例えば、被写体を撮像するカメラを有するカメラ付き携帯電話機１０において被写体を撮像するときに出力されるシャッタ音の音出力期間を制御させるシャッタ音制御プログラムであって、カメラ付き携帯電話機１０に、カメラによって生成されるフレーム画像データの生成割合を示すフレームレートを認識するステップと、認識されたフレームレートがあらかじめ定められた所定値以下でないときは、シャッタ音の音出力期間を第１の音出力期間とすることに決定するステップと、認識されたフレームレートが所定値以下であったときには、シャッタ音の音出力期間を第１の音出力期間よりも長い第２の音出力期間とすることに決定するステップと、
被写体の撮像指示があったときに、認識されたフレームレートに応じて決定された音出力期間でシャッタ音を出力するステップとを実行させるプログラムを含む。
【０１２１】
上記のシャッタ音制御プログラムは、例えば、カメラ付き携帯電話機１０に、さらに、撮像時に被写体に光を照射する発光手段を併用して被写体が撮像されるときは、フレームレートの認識結果にかかわらず、シャッタ音の音出力期間を第１の音出力期間とすることに決定するステップを実行させるプログラムであってもよい。
【０１２２】
なお、上述した一実施の形態におけるカメラフレームレートの低下に応じてシャッタ音量を大きくする処理と、上記の他の実施の形態におけるカメラフレームレートの低下に応じてシャッタ音の鳴動期間を長くする処理とを、同時に行うようにしてもよい。すなわち、カメラフレームレートの低下に応じてシャッタ音量を大きくし、かつシャッタ音の鳴動期間を長くする構成としてもよい。このように構成すれば、より効果的に盗撮を防止することが期待できる。
【０１２３】
なお、上述した各実施の形態では、フラッシュの設定／非設定状態を確認し、フラッシュが設定状態にあるときは、シャッタ音の音量や鳴動期間の変更制御を行わない構成としていたが、フラッシュの設定／非設定状態を確認することなく、フラッシュの設定状態によらずにシャッタ音の音量や鳴動期間の変更制御を行うようにしてもよい。この場合、上述したステップＳ１０７やステップＳ２０７の判定を行うことなく、ステップＳ１０８やステップＳ２０８と同様の処理を行うようにすればよい。
【０１２４】
上記のように構成すれば、周辺照度と同等な自然画や風景画を撮像したい場合など、一般ユーザが希望する撮影環境を阻害してしまうことを防止することができる。すなわち、至近距離で動物や昆虫などを、暗い場所でそのまま（フラッシュを使用せずに）撮影したいような場合に、大きなシャッタ音や長期間鳴動するシャッタ音によって動物や昆虫を驚かせてしまい、撮影環境を阻害してしまうようなことを防止できる。
【０１２５】
なお、上述した各実施の形態においては、周囲が暗い場所でフラッシュを使用せずに撮像しようとした場合であっても、盗撮であると確定することはできないため、撮像処理を停止させて撮像できないようにするのではなく、シャッタ音を大きくしたり長く鳴動させたりするようにして、撮像処理は実行できるようにしている。このため、周辺照度と同等な自然画や風景画を撮像したい場合など、一般ユーザが希望する撮影環境を阻害してしまうことを防止することができる。
【０１２６】
さらに、上述した実施の形態では、カメラ付き携帯電話機を例に説明したが、携帯可能なカメラ付きの機器や、ディジタルカメラなどの、カメラ機能を有した携帯性のある小型の機器に本発明を適用することができることは勿論である。例えば、ディジタルカメラに適用した場合には、カメラ付き携帯電話機１０が有する上述した各機能（通話機能は含まれていなくてもよい）をディジタルカメラが備える構成となる。
【図面の簡単な説明】
【０１２７】
【図１】本発明の一実施の形態におけるカメラ付き携帯電話機の構成の例を示すブロック図である。
【図２】周辺照度とカメラフレームレートとの関係の例を示す説明図である。
【図３】本発明の一実施の形態におけるパラメータ値テーブルの例を示す説明図である。
【図４】本発明の一実施の形態における撮像処理の例を示すフローチャートである。
【図５】他の実施の形態におけるパラメータ値テーブルの例を示す説明図である。
【図６】他の一実施の形態における撮像処理の例を示すフローチャートである。
【符号の説明】
【０１２８】
１０                    カメラ付き携帯電話機
２０                    カメラ
３０                    ＬＣＤ表示部
４０                    制御部
４１                    メモリ
４２                    ＣＰＵ
５０                    無線部
６０                    操作部
７０                    マイク
８０                    電池
９０                    スピーカ
【図１】
2005217884.tif 000003
【図２】
2005217884.tif 000004
【図３】
2005217884.tif 000005
【図４】
2005217884.tif 000006
【図５】
2005217884.tif 000007
【図６】
2005217884.tif 000008